(57)【要約】【課題】表示ユニット間の隙間が目立つことを抑制し、表示品質に優れた表示システムを提供することを目的とする。【解決手段】複数の発光素子が複数の行それぞれに配置された基板と、基板の前方に設けられたマスクと、基板を後方から支持する本体部を有するケースと、をそれぞれが有する第１表示ユニット及び第２表示ユニットを備え、第１表示ユニットのケースの本体部と第２表示ユニットのケースの本体部との間に隙間が形成されるように第１表示ユニットが第２表示ユニットの上方に配置される表示システムであって、第２表示ユニットのマスクは、最上行を除いた各行において並ぶ複数の発光素子の上方に設けられた複数の庇部を有し、第２表示ユニットのケースの本体部には第２表示ユニットの最上行において並ぶ複数の発光素子の上方に位置し且つ隙間の少なくとも一部を覆う庇部が設けられている表示システムである。【選択図】図３
2015184509.tif 000002
【特許請求の範囲】
【請求項１】
複数の発光素子が複数の行それぞれに配置された基板と、前記基板の前方に設けられたマスクと、前記基板を後方から支持する本体部を有するケースと、をそれぞれが有する第１表示ユニット及び第２表示ユニットを備え、前記第１表示ユニットのケースの本体部と前記第２表示ユニットのケースの本体部との間に隙間が形成されるように前記第１表示ユニットが前記第２表示ユニットの上方に配置された表示システムであって、
前記第２表示ユニットのマスクは、最上行を除いた各行において並ぶ前記複数の発光素子の上方に設けられた複数の庇部を有し、
前記第２表示ユニットのケースの本体部には、前記第２表示ユニットの最上行において並ぶ複数の発光素子の上方に位置し且つ前記隙間の少なくとも一部を覆う庇部が設けられていることを特徴とする表示システム。
【請求項２】
前記第２表示ユニットのケースの本体部に設けられた庇部は、前記隙間を完全に覆うことを特徴とする請求項１に記載の表示システム。
【請求項３】
複数の発光素子が複数の行それぞれに配置された基板と、前記基板の前方に設けられたマスクと、前記基板の後方に設けられたケースと、をそれぞれが有する第１表示ユニット及び第２表示ユニットを備え、前記第１表示ユニットのケースと前記第２表示ユニットのケースとの間に隙間が形成されるように前記第１表示ユニットが前記第２表示ユニットの上方に配置された表示システムであって、
前記マスクは、各行において並ぶ前記複数の発光素子の上方に設けられる複数の庇部を有し、
前記第２表示ユニットのマスクに設けられた複数の庇部のうち最上に位置する庇部は、前記隙間の少なくとも一部を覆うように構成されていることを特徴とする表示システム。
【請求項４】
前記第２表示ユニットのマスクに設けられた複数の庇部のうち最上に位置する庇部は、前記隙間を完全に覆うように構成されていることを特徴とする請求項３に記載の表示システム。
【請求項５】
前記第２表示ユニットにおける最上に位置する庇部の前方部分の形状は、該庇部より下方に位置する他の庇部の前方部分の形状と同じであることを特徴とする請求項１〜４のいずれか1項に記載の表示システム。
【請求項６】
複数の発光素子が複数の行それぞれに配置された基板と、前記基板の前方に設けられたマスクと、前記基板を後方から支持する本体部を有するケースと、を有する第３表示ユニットを備え、
前記第２表示ユニットのケースの本体部と前記第３表示ユニットのケースの本体部との間に隙間が形成されるように前記第３表示ユニットが前記第２表示ユニットの側方に配置されており、
前記第２表示ユニットのケースの本体部には前記第２表示ユニットのケースの本体部と前記第３表示ユニットのケースの本体部との間の隙間の少なくとも一部を覆うように第３表示ユニット側に突出する側方突出部位が設けられている、又は前記第３表示ユニットのケースの本体部には前記第２表示ユニットのケースの本体部と前記第３表示ユニットのケースの本体部との間の隙間の少なくとも一部を覆うように第２表示ユニット側に突出する側方突出部位が設けられている、ことを特徴とする請求項１〜５のいずれか１項に記載の表示システム。
【請求項７】
前記第２表示ユニットのケースの本体部に設けられた側方突出部位は第２表示ユニットのケースの本体部と第３表示ユニットのケースの本体部との間の隙間を完全に覆うように構成されている、又は、前記第３表示ユニットのケースの本体部に設けられた側方突出部位は第２表示ユニットのケースの本体部と第３表示ユニットのケースの本体部との間の隙間を完全に覆うことを特徴とする請求項６に記載の表示システム。
【請求項８】
複数の発光素子が複数の行それぞれに配置された基板と、前記基板の前方に設けられたマスクと、前記基板の後方に設けられたケースと、を有する第３表示ユニットを備え、
前記第２表示ユニットのケースと前記第３表示ユニットのケースとの間に隙間が形成されるように前記第３表示ユニットが前記第２表示ユニットの側方に配列されており、
前記第２表示ユニットのマスクは第３表示ユニット側の端部において第２表示ユニットと第３表示ユニットとの間の隙間の少なくとも一部を覆うように構成されているか、又は、前記第３表示ユニットのマスクは前記第２表示ユニット側の端部において第２表示ユニットと第３表示ユニットとの間の隙間の少なくとも一部を覆うように構成されている、ことを特徴とする請求項１〜５のいずれか１項に記載の表示システム。
【請求項９】
前記第２表示ユニットのマスクは第３表示ユニット側の端部において第２表示ユニットのケースと第３表示ユニットのケースとの間の隙間を完全に覆うように構成されているか、又は、前記第３表示ユニットのマスクは前記第２表示ユニット側の端部において第２表示ユニットのケースと第３表示ユニットのケースとの間の隙間を完全に覆うように構成されている、ことを特徴とする請求項８に記載の表示システム。
【発明の詳細な説明】
【技術分野】
【０００１】
本発明は、複数の表示ユニットにより構成される表示システムに関するものである。
【背景技術】
【０００２】
従来、複数の表示ユニットを並べて、大画面の表示システムを構成することが知られている。例えば、特許文献１には、遮光部５及び反射部６を備える前面カバー１と、ＬＥＤ基板２と、外枠３と、で構成される表示ユニットを複数用いて１つの表示装置とすることが記載されている。
【先行技術文献】
【特許文献】
【０００３】
【特許文献１】特開２０００−１８１３６３号公報
【発明の概要】
【発明が解決しようとする課題】
【０００４】
特許文献１のような表示ユニットを上下に複数配置して１つの表示システムを構成する場合、隣接する２つの表示ユニット間に比較的狭い隙間が生じてしまう。このように形成される隙間は正面から見たときに暗線として目立つので、表示システムとしての表示品質が低下する場合がある。
【０００５】
そこで、本発明は、上記課題を解決するためになされたものであり、表示ユニット間の隙間が目立つことを抑制し、表示品質に優れた表示システムを提供することを目的とする。
【課題を解決するための手段】
【０００６】
複数の発光素子が複数の行それぞれに配置された基板と、基板の前方に設けられたマスクと、基板を後方から支持する本体部を有するケースと、をそれぞれが有する第１表示ユニット及び第２表示ユニットを備え、第１表示ユニットのケースの本体部と第２表示ユニットのケースの本体部との間に隙間が形成されるように第１表示ユニットが第２表示ユニットの上方に配置される表示システムである。第２表示ユニットのマスクは、最上行を除いた各行において並ぶ複数の発光素子の上方に設けられた複数の庇部を有し、第２表示ユニットのケースの本体部には第２表示ユニットの最上行において並ぶ複数の発光素子の上方に位置し且つ隙間の少なくとも一部を覆う庇部が設けられている。
【０００７】
複数の発光素子が複数の行それぞれに配置された基板と、基板の前方に設けられたマスクと、基板の後方に設けられたケースと、をそれぞれが有する第１表示ユニット及び第２表示ユニットを備え、第１表示ユニットのケースと第２表示ユニットのケースとの間に隙間が形成されるように第１表示ユニットが第２表示ユニットの上方に配置される表示システムである。そして、マスクは、各行において並ぶ前記複数の発光素子の上方に設けられる複数の庇部を有し、第２表示ユニットのマスクに設けられた複数の庇部のうち最上に位置する庇部は隙間の少なくとも一部を覆うように構成されている。
【発明の効果】
【０００８】
本発明によれば、第１表示ユニットと第２表示ユニットとの間の隙間が目立つことを抑制できるので、表示品質に優れた表示システムを提供することができる。
【図面の簡単な説明】
【０００９】
【図１】第１実施形態に係る表示システムにおいて、（ａ）正面から見た平面図、（ｂ）側方から見た側面図、（ｃ）下方から見た下面図である。
【図２】図１（ａ）における点線で囲まれた領域を拡大した平面図である。
【図３】図１（ａ）のＡ−Ａ線の断面視における表示システムの中央領域を拡大した断面図である。
【図４】図３における庇部４１付近を拡大した断面図である。
【図５】第２実施形態に係る表示システムにおいて、（ａ）正面から見た平面図、（ｂ）側方から見た側面図、（ｃ）下方から見た下面図である。
【図６】図５（ａ）における点線で囲まれた領域を拡大した平面図である。
【図７】図５（ａ）のＢ−Ｂ線の断面視における表示システムの中央領域を拡大した断面図である。
【図８】図５（ａ）のＣ−Ｃ線の断面視における表示システムの中央領域を拡大した断面図である。
【図９】第３実施形態に係る表示システムにおいて、（ａ）正面から見た平面図、（ｂ）側方から見た側面図、（ｃ）下方から見た下面図である。
【図１０】図９（ａ）における点線で囲まれた領域を拡大した平面図である。
【図１１】図９（ａ）のＡ−Ａ線の断面視における表示システムの中央領域を拡大した断面図である。
【図１２】第４実施形態に係る表示システムにおいて、（ａ）正面から見た平面図、（ｂ）側方から見た側面図、（ｃ）下方から見た下面図である。
【図１３】図１２（ａ）における点線で囲まれた領域を拡大した平面図である。
【図１４】図１２（ａ）のＢ−Ｂ線の断面視における表示システムの中央領域を拡大した断面図である。
【図１５】図１２（ａ）のＣ−Ｃ線の断面視における表示システムの中央領域を拡大した断面図である。
【発明を実施するための形態】
【００１０】
以下、図面を参照しながら、本実施形態に係る表示システムについて説明する。ただし、以下に示す形態は、本発明の技術思想を具体化するための例示であって、本発明を以下に限定するものではない。また、各図面が示す部材の位置や大きさ等は、説明を明確にするため誇張していることがある。同一の名称、符号については、原則として同一もしくは同質の部材を示しており、重複した説明は省略する。なお、本明細書で記載する「上方」、「下方」、「前方」、「後方」方向は、表示システムを壁や柱等に取り付けた状態での方向を意味する。
［第１実施形態］
【００１１】
第１実施形態に係る表示システム１０００について、図１〜図４を参考にして説明する。図１（ａ）は表示システム１０００を正面から見た平面図、図１（ｂ）は表示システム１０００を側方から見た側面図、図１（ｃ）は表示システム１０００を下方から見た下面図である。図２は、図１（ａ）における点線で囲まれた領域を拡大した平面図である。図３は、図１（ａ）のＡ―Ａ線（上下に並ぶ複数の発光素子を通過する線）の断面視における表示システム１０００の中央領域を拡大した断面図（図１（ａ）の点線で囲まれた領域のＡ―Ａ線での断面図）である。図４は、図３における庇部４１付近を拡大した断面図である。
【００１２】
図１〜図４に示すように、表示システム１０００は、複数の発光素子２０が複数の行それぞれに配置された基板１０と、基板１０の前方に設けられたマスク３０と、基板１０を後方から支持する本体部４２を有するケース４０と、をそれぞれが有する第１表示ユニット１００及び第２表示ユニット２００を備える。第１表示ユニット１００のケース４０の本体部４２と第２表示ユニット２００のケース４０の本体部４２との間に隙間５０が形成されるように、第１表示ユニット１００が第２表示ユニット２００の上方に配置される。そして、第２表示ユニット２００のマスク３０は、最上行を除いた各行において並ぶ複数の発光素子２０の上方に設けられた複数の庇部３１を有し、第２表示ユニット２００のケース４０の本体部４２には、第２表示ユニット２００の最上行において並ぶ複数の発光素子２０の上方に位置し且つ正面から見たときに隙間５０の完全に覆う庇部４１が設けられる。
【００１３】
表示システム１０００では、隙間５０がその前方において第２表示ユニット２００の庇部４１によって完全に覆われるため、隙間５０において生じる影が目立ちにくい。つまり、表示システム１０００を正面（前方）から見たときに隙間５０の部分が黒く見えることを完全に抑制できるので、表示システムとしての表示品質を向上させることができる。
【００１４】
表示システム１０００の作製方法について説明する。
【００１５】
まず、複数の発光素子２０が複数の行それぞれに配置された基板１０と、最上行を除いた各行において並ぶ複数の発光素子２０の上方に設けられた複数の庇部３１を有するマスク３０と、本体部４２及び最上行において並ぶ複数の発光素子２０の上方に位置する庇部４１を有するケース４０と、を準備する。その後、ケース４０の本体部４２によって基板１０を後方から支持し、基板１０の前方にマスク３０を配置し、ネジ留めすることで基板１０とマスク３０とケース４０とが一体化した第１表示ユニット１００を作製する。第２表示ユニット２００も第１表示ユニット１００と同様の方法で作製する。
【００１６】
次に、第１表示ユニット１００のケース４０の本体部４２と第２表示ユニット２００のケース４０の本体部４２との間に隙間５０が形成されるように、第１表示ユニット１００を第２表示ユニット２００の上方に配置することで表示システム１０００を作製する。このとき、第２表示ユニット２００のケース４０の本体部４２に設けられる庇部４１は、表示システム１０００を正面から見たときに隙間５０を完全に覆っている。
【００１７】
以下、表示システム１０００を構成する主な部材について説明する。
【００１８】
（第１表示ユニット１００及び第２表示ユニット２００）
表示システム１０００は、少なくとも第１表示ユニット１００及び第２表示ユニット２００（以下、総称して「表示ユニット」ということがある。）によって構成される。表示ユニットは、それぞれが、基板１０、発光素子２０、マスク３０及びケース４０を有する。
【００１９】
（基板１０）
基板１０は、後述する複数の発光素子２０を視認側となる前方に載置するためのものであり、実質的に平らな平板状の形状を有する。基板１０には、典型的にはガラスエポキシ基板を用いることができるが、その材質は限定されるものではない。基板１０のサイズは、例えば、一辺の長さ（図１（ａ）における縦方向もしくは横方向の長さ）が１００〜５００ｍｍ、厚さ（図１（ａ）の紙面に対して垂直方向の長さ）が０．５〜２．０ｍｍのものを用いることができる。本実施形態では、縦方向の長さが１００ｍｍ、横方向の長さが２００ｍｍ、厚みが１．６ｍｍとすることができる。なお、基板１０には、外部からの電流を各発光素子２０に伝達するための配線（例えば、銅箔）が設けられている。
【００２０】
（発光素子２０）
発光素子２０は、基板１０の表面に半田付けなどによって実装されるものであり、典型的にはＬＥＤ（発光ダイオード）を用いることができる。本実施形態では、発光素子２０として、半導体チップと電気的に接続された外部端子を基板の表面で固定する表面実装型のＬＥＤを用いている。ただし、外部端子を基板に挿入させて固定する挿入実装型のＬＥＤ（ランプタイプのＬＥＤ）を用いることもできるし、半導体チップそのものを基板１０に実装したものを用いることもできる。
【００２１】
発光素子２０のサイズは、例えば、表面実装型ＬＥＤであれば、一辺の長さ（図１（ａ）における縦方向もしくは横方向の長さ）が１．５〜５．０ｍｍ、厚さ（図１（ａ）の紙面に対して垂直方向の長さ）が０．５〜５．０ｍｍのものを用いることができる。本実施形態では、一辺の長さが３．２ｍｍ、厚さが２．７ｍｍの表面実装型ＬＥＤを発光素子２０として用いている。
【００２２】
複数の発光素子２０は、図１（ａ）に示すように、基板１０上において、行方向（図１（ａ）における横方向）及び列方向（図１（ａ）における縦方向）それぞれに複数配置される。本実施形態では、各表示ユニットに、１６行×３２列の計５１２個の発光素子２０が配置されている。
【００２３】
本実施形態においては、表示システム１０００全体を見たときに、行方向及び列方向に並ぶ発光素子２０の間隔が一定となるように各発光素子を配置している。本実施形態においては、隣り合う２つの発光素子２０の距離は、行方向および列方向の間隔を共に３．６ｍｍとしている。換言すると、本実施形態における発光素子２０の縦方向および横方向の長さが３．２ｍｍなので、隣接する２つの発光素子２０の中心間の距離は６．８ｍｍとなる。
【００２４】
（マスク３０）
マスク３０は、基板１０の前方（すなわち、基板１０における複数の発光素子２０が配置される側）に設けられる。マスク３０を設けることにより、基板１０などが正面から直接視認できないようにして表示品質を向上させると共に、マスク３０が黒色の表面を有することでコントラストも向上させることができる。
【００２５】
マスク３０の種類としては、発光素子２０の種類や機能に応じて適宜選択することができる。本実施形態では、発光素子２０として表面実装型ＬＥＤを用いているので、マスク３０は、図２に示すように、発光素子２０に対応する領域に開口部を有し、それ以外の領域が遮光部材（例えば、黒色に着色した遮光性のポリカーボネート樹脂）で構成されたものを用いている。なお、開口部のサイズは、発光素子２０のサイズと必ずしも一致する必要はなく、図２に示すように発光素子２０のサイズより大きくすることもできる。開口部のサイズが発光素子のサイズより大きい場合、発光素子２０と開口部との間の空間から発光素子２０の後方側に水分が浸入しないようにするため、発光素子２０と開口部との間の空間に封止部材（例えば、シリコン樹脂）を充填することもできる。
【００２６】
なお、発光素子２０として表面実装型ＬＥＤを用いる場合であって、表示ユニット自体に防水機能を持たせる場合は、発光素子と対向する領域が発光素子からの光が透過できるように透光部材（例えば、透光性のポリカーボネート樹脂）で構成され、それ以外の領域が遮光部材を含む部材（例えば、黒色に着色した遮光性のポリカーボネート樹脂）で構成されたマスクを用いることができる。
【００２７】
マスク３０は、太陽光などの外来光が発光素子２０に到達するのを防ぎ、影をつくることで高コントラストの表示が得られるように、基板１０における発光素子２０が実装される側で前方に突出するように設けられた遮光部材からなる庇部３１を有する。図２及び図３に示すように、第１実施形態では、第１表示ユニット１００及び第２表示ユニット２００のマスク３０は、最上行を除いた各行において並ぶ複数の発光素子２０の上方に設けられた複数の庇部３１と、列方向において隣り合う庇部３１を繋ぐ複数のリブ部３２とで構成されている。第１実施形態に係るマスク３０における最上に位置するリブ部３２は、下端が庇部３１と繋がり、上端がケース４０の本体部４２の内面に近接する。各行において並ぶ複数のリブ部３２は、図２に示すように１の発光素子を挟んでも良いし、２以上の発光素子を挟んでも良い。
【００２８】
庇部３１と発光素子２０との間隔や庇部３１の高さは、外来光が発光素子２０に到来するのを抑制しつつ発光素子２０から放出される光を遮断することなく取り出せるような値にすることができる。例えば、図３を参照して、庇部３１の中心から最も近い発光素子２０の中心までの距離を３．４ｍｍ、庇部３１の高さを５．７ｍｍとすることができる。なお、リブ部３２の高さは、発光素子２０からの光を遮断しないように、発光素子２０の高さよりも低い値が好ましく、例えば、２．５ｍｍとすることができる。ここで記載した「高さ」とは、基板１０の前面から前方方向の距離を指す。なお、後述するケース４０の庇部４１についても、庇部３１と同様である。
【００２９】
（ケース４０）
ケース４０は、基板１０の後方に設けられる。ケース４０は、基板１０を後方から支持するための本体部４２を有する。本体部４２は、図３に示すように、内面に段差部を有し、段差部によって基板１０を後方から支持し、段差部の前方であって外側に配置される側壁によって基板１０周囲を囲うように構成することができる。基板１０と、マスク３０及びケース４０のそれぞれを固定するために、マスク３０とケース４０の間に基板１０を挟んだ状態でネジ留めすることができるし、基板１０とケース２０をネジ留めした後別のネジを用いてマスク３０をネジ留めすることもできる。なお、後述する第２実施形態、第３実施形態及び第４実施形態も同様である。
【００３０】
図２及び図３に示すように、第２表示ユニット２００のケース４０の本体部４２の最上部には、第２表示ユニットにおける最上行において並ぶ複数の発光素子２０の上方に庇部４１が設けられ、庇部４１が隙間５０を覆っている。第２表示ユニット２００の庇部４１は、図１に示すように、第２表示ユニット２００の一方の側端から他方の側端まで連続して延びているのが良い。これにより、庇部４１によって横方向に延びる隙間５０の全てが覆われるため、隙間５０の目立ちを完全に抑制することができる。また、庇部４１がケース４０の一部であり、マスク３０とは独立していることで、マスク３０がネジ留めされる際にマスク３０のネジ留めされる部分がケース４０側に引き寄せられても庇部４１が前方に突出する角度は変化しないため、表示品質の低下を抑制することができる。
【００３１】
第２表示ユニット２００の庇部４１は、マスク３０の庇部３１と同じ目的で遮光部材から構成されるのが良い。庇部４１の材料は、庇部３１と同じ材料が好ましく、例えば、黒色に着色した遮光性のポリカーボネート樹脂が挙げられる。なお、図３に示すように、ケース４０は庇部４１と本体部４２とが一体形成されてなることが好ましいが、異なる部材で構成することもできる。
【００３２】
第２表示ユニット２００の庇部４１は、図３に示すように、隙間５０を完全に覆うように設けられる。すなわち、第２表示ユニット２００の庇部４１は、隙間５０を完全に覆うようにケース４０の本体部４２の上方側外面より上方側に突出する部位（以下、「上方突出部位」ということがある）を有する。これにより、表示システムを正面から見たときに隙間５０が目立つのを確実に抑制することができる。もちろん、第２表示ユニット２００の庇部４１が隙間５０の一部を覆うように構成することもできる。この場合、正面から見たときに隙間５０を完全に隠すことはできないが、一定のレベルで表示品質を向上させることができる。また、図４に示すように、第２表示ユニット２００の庇部４１は、第１表示ユニット１００のケース４０の本体部４２の前面４２ａを覆うまで延在することもできる。なお、第１表示ユニット１００ケース４０の本体部４２にも、上方に配置されるべき他の表示ユニットとの隙間を覆うように庇部４１を設けることもできる。
【００３３】
庇部４１における上方突出部位は、表示システム１０００の上下及び前後の方向における断面視において、本体部４２の上方側外面の前方端部（上方突出部位の後方端部）から上方に向かって延びる面を有することもできるし、図４に示すように、本体部４２の上方側外面の前方端部から前方に向かって第１角度で斜め上方に延びる第１面４１ａと、第１面４１ａと上方側で隣接し第２角度（第１角度≦第２角度）で斜め上方又は上方に延びるとともに第１表示ユニット１００のケース４０の本体部４２の前面４２ａと対面する第２面４１ｂと、を有することもできる。第１面４１ａと第２面４１ｂの両者を設けることで、庇部４１の根元部分を段階的に太く構成することができるので、庇部４１の強度を高めることができる。さらに、角度変化が段階的であるため、角度が変化する箇所においてクラック等が発生することを抑制することができる。また、庇部４１における上方突出部位を第１表示ユニット１００のケース４０の本体部４２の前面４２ａから離間させることにより、表示ユニット取り付け時に庇部４１が損傷することを抑制することができる。第１角度及び第２角度は、例えば、それぞれ４５度、９０度とすることができる。ここで、第１角度及び第２角度は、横方向に延びる基板１０に対して垂直をなす面と、第１面４２ａ又は第２面４２ｂと、がなす角度（図４のθ１又はθ２）を指す。
【００３４】
第２表示ユニット２００の庇部４１における第２面４１ｂと第１表示ユニット１００のケース４０の本体部４２の前面４２ａとが離間する距離は、０．３ｍｍ以上０．８ｍｍ以下が好ましい。０．３ｍｍ未満であると、取り付け時に表示ユニット同士が接触する可能性が高くなり、０．８ｍｍより大きいと表示システムを前方斜め上方から見たときに、第２表示ユニット２００の庇部４１における第２面４１ｂと第１表示ユニット１００のケース４０の本体部４２の前面４２ａとの間に形成される空間が影として目立ってしまう恐れがある。
【００３５】
図３に示すように、第２表示ユニット２００において、隙間５０を覆う庇部４１の前方部分の形状は、庇部の下方に位置する他の庇部３１の前方部分の形状と同じであることが好ましい。さらに、第１表示ユニット１００及び第２表示ユニット２００におけるすべての庇部（３１、４１）の前方部分の形状が同じであればなお良い。前方部分の形状が異なる庇部が含まれていると、外来光を反射させる方向が他の庇部と異なり、正面から見たときに見え方の違いが生じ、表示品質が低下してしまうためである。なお、この段落で記載した「前方部分の形状」とは、図４に示す庇部４１の第２面４１ｂの上端であって庇部４１の最も上方に位置する箇所である上方先端４１ｃよりも前方側の領域の形状を指す。
【００３６】
図３に示す状態において、修理などのために、第１表示ユニット１００を前方側から取り外さなければならない場合がある。この場合、第１表示ユニット１００が下方に位置する第２表示ユニット２００の庇部４１に接触し、第２表示ユニット２００の庇部４１が破損する可能性がある。そこで、各表示ユニットのケース４０の本体部４２の外形（第１実施形態では、図３に示す上下方向の幅）を後方に向かって段階的又は傾斜的に狭くように構成することができる。ケース４０の本体部４２の外形の傾斜角度は、一般的な抜き勾配より大きく、基板１０における発光素子２０が実装される面に対して垂直な面から１０〜３０度、より好ましくは１０〜１５度であるのが良い。ケース４０の形状をこのようにしておけば、第１表示ユニット１００の下端部を前方に引き出さないで上端部を前方に引き出す（つまり、交換対象の表示ユニットの下端部を軸に上端部が回転するように引き出す）ことにより、第２表示ユニット２００の庇部４１の損傷を伴うことなく、第１表示ユニット１００を取り外すことが可能となる。また、表示システム１０００を屋外用として使用する場合、ケース４０の本体部４２の外形を傾斜させることで、水滴を背面側に送り出すことができ、発光素子２０に付着する水滴の量を低減させることができるので、表示品質の低下を抑制することができる。
【００３７】
なお、上下に配列された表示ユニットのケース４０の本体部４２間の隙間５０を覆うだけであれば、下方に配列された表示ユニットの本体部４２の上方に庇部４１設ける代わりに、上方に配列された表示ユニットのケース４０の本体部４２の下方突出する突出部位を有する庇部を設けることもできる。しかしながら、本実施形態に係る後者（上方に配列された表示ユニットのケース４０の本体部４２の下端に隙間５０を覆う庇部を設ける）の場合、表示システムを前方斜め下から見たときに、隙間５０を覆う庇部の突出部位と下方に配置された表示ユニットのケース４０の本体部４２の前面４２ａとの間に新たな隙間が生じ、この新たな隙間の部分が黒く目立つ可能性がある。また、後者の場合では、複数の同形状の表示ユニットを上下に配列させると、最上に配列された表示ユニットの最上行に配置された複数の発光素子２０に到来する外来光を遮断する庇部が存在しないため、表示品質が劣る表示システムになってしまう。したがって、本実施形態に係る前者（下方に配列された表示ユニットのケース４０の本体部４２に隙間５０を覆う庇部４１を設ける）の方が好ましい。
［第２実施形態］
【００３８】
第２実施形態に係る表示システム２０００について、図５〜図８を参照しながら説明する。図５（ａ）は、表示システム２０００を正面から見た平面図、図５（ｂ）は表示システム２０００を側方から見た側面図、図５（ｃ）は表示システム２０００を下方から見た下面図である。図６は、図５（ａ）における点線で囲まれた領域を拡大した平面図である。図７は、図５のＢ―Ｂ線（左右に並ぶ複数の発光素子２０を通過する線）の断面視における表示システム２０００の中央領域を拡大した断面図である。図８は、図５のＣ―Ｃ線（庇部３１を横切る線）の断面視における表示システム２０００の中央領域を拡大した断面図である。表示システム２０００は、第１表示ユニット１００及び第２表示ユニット２００に加えて、第３表示ユニット３００及び第４表示ユニット４００が設けられている点及び各表示ユニット（１００、２００、３００、４００）のケース４０の本体部４２の側方に側方突出部位４３が設けられる点以外は実質的に表示システム１０００と同じ構成である。
【００３９】
表示システム２０００は、図５〜図８に示すように、複数の発光素子２０が複数の行それぞれに配置された基板１０と、基板１０の前方に設けられたマスク３０と、基板１０の後方から基板１０を支持する本体部４２を有するケース４０と、をそれぞれが有する第３表示ユニット３００及び第４表示ユニット４００を備える。そして、第２表示ユニット２００のケース４０の本体部４２と第３表示ユニット３００のケース４０の本体部４２との間に隙間５１が形成されるように第３表示ユニット３００が第２表示ユニット２００の側方に配列されている。さらに、第１表示ユニット１００のケース４０の本体部４２と第４表示ユニット４００のケース４０の本体部４２との間に隙間５１が形成されるように第４表示ユニット４００が第１表示ユニット１００の側方に設けられている。なお、第４表示ユニット４００は、第４表示ユニット４００のケース４０の本体部４２と第３表示ユニット３００のケース４０の本体部４２との間に隙間５０が形成されるように第４表示ユニット４００が第３表示ユニット３００の上方に設けられる。
【００４０】
第２実施形態に係る第２表示ユニット２００のマスク３０は、第１実施形態に係る第２表示ユニット２００のマスク３０と同様に、第２表示ユニット２００における最上行を除いた各行において並ぶ複数の発光素子２０の上方に設けられた複数の庇部３１と、列方向において隣り合う庇部３１を繋ぐ複数のリブ部３２とで構成されている。
【００４１】
第２表示ユニット２００のケース４０の本体部４２の最上部（第１表示ユニット１００側）には、第１実施形態と同様に、第１表示ユニット１００のケース４０の本体部４２と第２表示ユニット２００のケース４０の本体部４２との間の隙間５０を完全に覆う庇部４１が設けられている。そして、第２表示ユニット２００のケース４０の本体部４２の第３表示ユニット３００側には、図７及び図８に示すように、第２表示ユニット２００のケース４０の本体部４２と第３表示ユニット３００のケース４０の本体部４２との間の隙間５１を完全に覆うように第３表示ユニット３００側に突出する側方突出部位４３が設けられている。これにより、隙間５０及び隙間５１の両方が覆われているため、表示品質をさらに向上させることができる。なお、側方突出部位４３は、第２表示ユニット２００の庇部４１からも側方に突出しているため、隙間５０と隙間５１とが交差する領域の隙間も覆っている。
【００４２】
第２表示ユニット２００の側方突出部位４３は、図７及び図８に示すように、第２表示ユニット２００のケース４０の本体部４２の前方側に設けられ、第３表示ユニット３００のケース４０の本体部４２の前面４２ａより前方に位置するのが良い。側方突出部位４３は、表示システム２０００の上下及び前後方向における断面視において、本体部４２の側方側外面の前方端部から斜め前方に延びる傾斜面と、この傾斜面と隣接し真横に延びる水平面と、を有することもできる。また、側方突出部位４３は、発光素子２０からの光を遮断しないようにするために、発光素子２０の前面より後方に位置するのが良い。側方突出部位４３は、表示品質の低下を防ぐために、側方方向の幅がリブ部３２と同じ幅にするのが良く、さらに、材料、形状及び表面加工がリブ部３２と同じであるのが良い。側方突出部位４３の材料は、例えば、黒色に着色した遮光性のポリカーボネート樹脂が挙げられる。側方突出部位４３の表面（前方側の面）の形状は、限定されないが、リブ部３２の表面と同じ形状にすることで表示品質の低下を抑制できる。
【００４３】
第２表示ユニット２００の側方突出部位４３が第３表示ユニット３００のケース４０の本体部４２まで覆うこともできる。この場合、特定の表示ユニットを交換する際に、第１実施形態で記述したものと同様の問題が生じる可能性がある。この問題を解決するために、第１実施形態に記述したものと同様の解決手段を用いることができる。すなわち、表示ユニットのケース４０の本体部４２の外形（第２実施形態では、図７及び図８に示す左右方向の幅）を後方に向かって段階的又は傾斜的に狭くしても良い。
【００４４】
第２表示ユニット２００における側方突出部位４３は、ケース４０の本体部４２の上端部から下端部まで連続して延びているのが好ましい。これにより、縦方向に延びる隙間５１のすべてが覆われるため、隙間５１の目立ちを完全に抑制することができる。
【００４５】
図８に示すように、第２表示ユニット２００の庇部３１が、側方突出部位４３を被覆するように第３表示ユニット３００側に延在することができる。これにより、第２表示ユニット２００のマスク３０と第３表示ユニット３００のマスク３０との間に生じる隙間６０を狭くすることができ、表示品質の低下を抑制することができる。しかしながら、第２表示ユニット２００のマスク３０と第３表示ユニット３００のマスク３０との間に生じる隙間６０を完全になくすことができないため、表示システムを正面から見たときに隙間６０が目立つ問題が残る。そこで、第２表示ユニット２００及び第３表示ユニット３００の各マスク３０の庇部３１に隙間６０と同じ形状のスリット３５を隙間６０から所定の間隔で設けることで、表示品質の低下を抑制することができる。もちろん、スリット３５は、庇部３１だけでなく庇部４１にも設けることもできる。庇部４１に設けられるスリット３５が庇部３１に設けられるスリットと同一の間隔及び同一の形状であることで、表示システムの表示品質の低下を抑制することができる。
【００４６】
第１表示ユニット１００、第３表示ユニット３００及び第４表示ユニット４００についても、上述した第２表示ユニット２００と同様に、上方に配置されるべき他の表示ユニットのケース４０の本体部４２との間の隙間５０の少なくとも一部を覆う庇部４１が設けられても良いし、側方に配置されるべき他の表示ユニットのケース４０の本体部４２との間の隙間５１の少なくとも一部を覆う側方突出部位４３が設けられても良い。
【００４７】
第２実施形態では、図７及び図８に示すように第２表示ユニット２００のケース４０の本体部４２に隙間５１を覆うように第３表示ユニット３００側に突出する側方突出部位４３が設けられているが、第３表示ユニット３００のケース４０の本体部４２に隙間５１を完全に覆うように第２表示ユニット２００側に突出する側方突出部位を設けることもできる。もちろん、第３表示ユニット３００から第２表示ユニット２００側に突出する側方突出部位が隙間５１の一部を覆うように構成することもできる。この場合、正面から見たときに隙間５１を完全に隠すことはできないが、一定レベルで表示品質を向上させることができる。
【００４８】
第２実施形態では、第２表示ユニット２００のケース４０が隙間５０及び隙間５１の両方を覆うように構成されているが、第２表示ユニット２００のケース４０が隙間５１のみを覆うように構成することもできる。この場合、隙間５０は暗く見えてしまうが、隙間５１の目立ちを抑制することができる。なお、第４実施形態も同様である。
【００４９】
第２実施形態は、図５に示すように第１表示ユニット、第２表示ユニット２００、第３表示ユニット３００及び第４表示ユニット４００からなる表示システム２０００であるが、例えば、第４表示ユニット４００を配列せず第１表示ユニット１００、第２表示ユニット２００及び第３表示ユニット３００からなる表示システムでも良いし、第１表示ユニット１００及び第４表示ユニット４００を配列せず第２表示ユニット２００及び第３表示ユニット３００からなる表示システムでも良い。なお、後述する第４実施形態も同様である。
［第３実施形態］
【００５０】
第３実施形態に係る表示システム３０００について、図９〜図１１を参照しながら説明する。図９（ａ）は表示システム３０００を正面から見た平面図、図９（ｂ）は表示システム３０００を側方から見た側面図、図９（ｃ）は表示システム３０００を下方から見た下面図である。図１０は、図９（ａ）における点線で囲まれた領域を拡大した平面図である。図１１は、図９（ａ）のＡ−Ａ線（上下に並ぶ複数の発光素子を通過する線）の断面視における表示システム３０００の中央領域を拡大した断面図である。表示システム３０００は、隙間５０を覆う庇部がケース４０の庇部４１からマスク３０の庇部３１Ａに変更した点以外は、実質的に第１実施形態の表示システム１０００と同じ構成である。なお、庇部３１Ａの形状は、第１実施形態で記述した庇部４１と同じ形状にすることができるため、第３実施形態では説明を省略する。
【００５１】
図９〜図１１に示すように、表示システム３０００は、複数の発光素子２０が複数の行それぞれに配置された基板１０と、基板１０の前方に設けられたマスク３０と、基板１０の後方に設けられたケース４０と、をそれぞれが有する第１表示ユニット１００及び第２表示ユニット２００を備える。そして、第１表示ユニット１００のケース４０と第２表示ユニット２００のケース４０との間に隙間５０が形成されるように第１表示ユニット１００が第２表示ユニット２００の上方に配置される。さらに、第１表示ユニット１００及び第２表示ユニット２００のマスク３０は、各行において並ぶ複数の発光素子２０の上方に設けられる複数の庇部３１を有し、第２表示ユニット２００のマスク３０に設けられた複数の庇部３１のうち最上に位置する庇部３１Ａは、正面から見たときに隙間５０を完全に覆うように構成されている。
【００５２】
表示システム３０００では、図１１に示すように、隙間５０がその前方において第２表示ユニット２００の複数の庇部３１のうち最上に位置する庇部３１Ａによって完全に覆われるため、隙間５０において生じる影が目立ちにくい。
【００５３】
図１１に示すように、第２表示ユニット２００のマスク３０の庇部３１Ａは、正面から見たときに隙間５０を完全に覆い、さらに、第１表示ユニット１００のケース４０の本体部４２の前面４２ａまで覆うこともできる。
【００５４】
第３実施形態では、防水性を高めることを主な目的としているため、ケース４０の本体部４２に基板１０の周囲を囲う側壁が存在する（図１１参照）が、防水性をそれほど要求しない場合は側壁を省略することもできる。後述する第４実施形態も同様である。
【００５５】
第３実施形態において、第１表示ユニット１００も同様にマスク３０に設けられた複数の庇部３１のうち最上に位置する庇部３１Ａは、上方に配置されるべき他の表示ユニットとの隙間を覆うように構成されている。これにより、表示システムを正面から見たときに隙間５０が目立つのを確実に抑制することができる。もちろん、庇部３１Ａが隙間５０の一部を覆うように構成することもできる。この場合、正面から見たときに隙間５０を完全に隠すことはできないが、一定のレベルで表示品質を向上させることができる。また、図１１に示すように、第２表示ユニット２００の庇部３１Ａは、第１表示ユニット１００のケース４０の本体部４２の前面４２ａを覆うまで延在することもできる。
【００５６】
第３実施形態に係る表示システム３０００の作製方法を説明する。第３実施形態に係る第１表示ユニット１００は、まず、複数の発光素子２０が複数の行それぞれに配置された基板１０と、各行において並ぶ複数の発光素子２０の上方に設けられる複数の庇部３１を有するマスク３０と、ケース４０とを準備する。次に、基板１０の後方にケース４０を配置し、基板１０の前方にマスク３０を配置した後、ネジ留めによって基板１０とマスク３０とケース４０とが一体化した表示ユニット１００を作製する。第３実施形態に係る第２表示ユニット２００も第３実施形態に係る表示ユニット１００と同様の方法で作製する。第１表示ユニット１００及び第２表示ユニット２００を作製した後、第１表示ユニット１００のケース４０と第２表示ユニット２００のケース４０との間に隙間５０が形成されるように、第１表示ユニット１００を第２表示ユニット２００の上方に配置することで、表示システム３０００を作製する。このとき、第２表示ユニット２００のマスク３０に設けられた複数の庇部３１のうち最上に位置する庇部３１Ａは隙間５０の完全に覆うように構成されている。
［第４実施形態］
【００５７】
第４実施形態に係る表示システム４０００について、図１２〜図１５を参照しながら説明する。図１２（ａ）は、表示システム４０００を正面から見た平面図、図１２（ｂ）は表示システム４０００を側方から見た側面図、図１２（ｃ）は表示システム４０００を下方から見た下面図である。図１３は、図１２（ａ）における点線で囲まれた領域を拡大した平面図である。図１４は、図１２（ａ）のＢ―Ｂ線（左右に並ぶ複数の発光素子２０を通過する線）の断面視における表示システム４０００の中央領域を拡大した断面図である。図１５は、図１２（ａ）のＣ―Ｃ線（庇部３１Ｂを横切る線）の断面視における表示システム４０００の中央領域を拡大した断面図である。表示システム４０００は、第２実施形態で示したケース４０における側方突出部位４３の代わりに、マスク３０全体がケース４０の本体部４２から第３表示ユニット３００側に延在することによって隙間５１を覆う構成である点以外は、実質的に実施形態２の表示システム２０００と同じ構成である。
【００５８】
図１２〜図１５に示すように、表示システム４０００は、複数の発光素子２０が複数の行それぞれに配置された基板１０と、基板１０の前方に設けられたマスク３０と、基板１０の後方に設けられたケース４０と、をそれぞれが有する第３表示ユニット３００及び第４表示ユニット４００を備える。そして、第２表示ユニット２００のケース４０と第３表示ユニット３００のケース４０との間に隙間５１が形成されるように第３表示ユニット３００が第２表示ユニット２００の側方に配列されている。さらに、第１表示ユニット１００のケース４０の本体部４２と第４表示ユニット４００のケース４０の本体部４２との間に隙間５１が形成されるように第４表示ユニット４００が第１表示ユニット１００の側方に設けられている。なお、第４表示ユニット４００は、第４表示ユニット４００のケース４０の本体部４２と第３表示ユニット３００のケース４０の本体部４２との間に隙間５０が形成されるように第４表示ユニット４００が第３表示ユニット３００の上方に設けられる。
【００５９】
第４実施形態において、第２表示ユニット２００のマスク３０は、第３実施形態と同様に、最上に位置する庇部３１Ａが隙間５０を完全に覆うように構成される。さらに、第２表示ユニット２００のマスク３０は、第３表示ユニット３００側の端部においてマスク３０全体が隙間５１を完全に覆うように構成される。図１４及び図１５に示すように、第２表示ユニット２００のマスク３０の側端にリブ部３２ａが存在する場合は、マスク３０全体（庇部３１Ａ、庇部３１Ｂ及びリブ部３２ａ）が隙間５１を完全に覆うように構成しても良い。これにより、隙間５０及び隙間５１をマスク３０によって覆うことができ、表示品質をさらに向上させることができる。
【００６０】
図１４に示すように、第２表示ユニット２００のリブ部３２ａは、第３表示ユニット３００の本体部４２の前面４２ａから前方に離間して配置されるのが良い。これにより、第２表示ユニット２００のリブ部３２ａと第３表示ユニット３００のケース４０の本体部４２の前面４２ａとの間に空間が存在するので、表示ユニットの取り付け時に第２表示ユニット２００のリブ部３２ａが損傷することを抑制することができる。さらに、表示品質の低下を抑制する観点で、リブ部３２ａは正面から見て凹部が生じないように設けられているのが良い。さらに、リブ部３２ａは、リブ部３２と比べて、正面から見て側方の幅が同じであり、基板１０から同じ位置の高さであるのが良い。
【００６１】
図１５に示すように、第２表示ユニット２００の庇部３１Ｂは、庇部３１Ｂの高さに違いによる表示品質の低下を抑制するために、高さが揃った状態で第３表示ユニット３００側に延在し、隙間５１を覆うのが良い。第２表示ユニット２００の庇部３１Ｂが隙間５１を覆うように構成されることによって隙間５１が目立ちを抑制することはできるが、第２表示ユニット２００の庇部３１Ｂと第３表示ユニット３００の庇部３１Ｂとの間に新たな隙間６０が生じるため、表示品質が低下する恐れがある。そこで、庇部３１Ｂに隙間６０と同じ形状のスリット３５を隙間６０から所定の間隔で設けることで、表示品質の低下を緩和することができる。
【００６２】
第４実施形態では、側端にリブ部３２ａが存在するマスクを用いる（図１３参照）が、側端にリブ部３２ａが存在しないマスクを用いることもできる。リブ部３２ａが存在しないマスクを用いる場合、隙間５１のうちマスク３０（庇部３１Ａ及び３１Ｂ）の延在部位で覆うことができない領域を、ケース４０の本体部４２に第３表示ユニット３００側に突出する側方突出部位を設けることで覆うこともできる。
【００６３】
なお、第１表示ユニット１００、第３表示ユニット３００及び第４表示ユニット４００についても、第２表示ユニット２００と同様に、マスク３０の最上に位置する庇部３１Ａが上方に配置されるべき他の表示ユニットとの間の隙間の少なくとも一部を覆うように構成され、さらに、マスク３０が側方に配置されるべき他の表示ユニットとの間の隙間の少なくとも一部を覆うように構成しても良い。
【００６４】
第４実施形態では、図１３に示すように第２表示ユニット２００のマスク３０が第３表示ユニット３００側の端部において隙間５１を完全に覆うように構成されているが、これに限定されず、第３表示ユニット３００のマスク３０が第２表示ユニット２００側の端部において隙間５１を完全に覆うように構成されていても良い。もちろん、第３表示ユニット３００のマスクが隙間５１の一部を覆うように構成することもできる。この場合、正面から見たときに隙間５１を完全に隠すことはできないが、一定レベルで表示品質を向上させることができる。
【００６５】
第４実施形態では、隙間５０及び隙間５１を共にマスク３０で覆う（隙間５０を第２表示ユニット２００のマスクの庇部３１Ａで覆い、隙間５１を第２表示ユニット２００のマスク３０全体が側方に延在することで覆う）が、隙間５１を第２表示ユニット２００のマスク３０全体で覆うのは変更しないで、隙間５０を覆う庇部をマスク３０の庇部３１Ａからケースの庇部４１に置き換えることもできる。また、第２実施形態でも同様である。すなわち、第２実施形態では、隙間５０及び隙間５１を共にケース４０で覆う（隙間５０を第２表示ユニット２００のケース４０の庇部４１で覆い、隙間５１をケース４０の側方突出部位４３で覆う）が、隙間５１をケース４０の側方突出部位４３で覆うのは変更しないで、隙間５０を覆う庇部をケース４０の庇部４１からマスク３０の庇部３１Ａに置き換えることもできる。
【符号の説明】
【００６６】
１０００、２０００、３０００、４０００・・・表示システム
１００・・・第１表示ユニット
２００・・・第２表示ユニット
３００・・・第３表示ユニット
４００・・・第４表示ユニット
１０・・・基板
２０・・・発光素子
３０・・・マスク
３１、３１Ａ、３１Ｂ・・・庇部
３２、３２ａ・・・リブ部
３５・・・スリット
４０・・・ケース
４１・・・庇部
４１ａ・・・第１面
４１ｂ・・・第２面
４１ｃ・・・上方先端
４２・・・本体部
４２ａ・・・前面
４３・・・側方突出部位
５０、５１、６０・・・隙間
【図１】
2015184509.tif 000003
【図２】
2015184509.tif 000004
【図３】
2015184509.tif 000005
【図４】
2015184509.tif 000006
【図５】
2015184509.tif 000007
【図６】
2015184509.tif 000008
【図７】
2015184509.tif 000009
【図８】
2015184509.tif 000010
【図９】
2015184509.tif 000011
【図１０】
2015184509.tif 000012
【図１１】
2015184509.tif 000013
【図１２】
2015184509.tif 000014
【図１３】
2015184509.tif 000015
【図１４】
2015184509.tif 000016
【図１５】
2015184509.tif 000017